(57)【特許請求の範囲】
【請求項１】
複数の機器機能を備えるとともに、省電力機能を備えた複合装置の制御方法において、
前記省電力機能に関して、待機温度の違いにより異なる複数の省電力モードのうちから、所定の省電力モードを設定することができるとともに、
いずれかの機器機能の動作が終了すると、あらかじめ定められた特定の初期機器機能へ装置動作を復帰する一方、終了した機器機能に設定されている前記省電力機能の動作モードが、上記初期機器機能に設定されている動作モードと一致しないときには、上記初期機器機能に復帰しないようにしたことを特徴とする複合装置の制御方法。
【請求項２】
前記複数の省電力モードの設定は、前記複数の機器機能のそれぞれについて、前記複数の省電力モードのうちから、所定の省電力モードを設定することができることを特徴とする請求項１に記載の複合装置の制御方法。
【請求項３】
前記複数の省電力モードは、前記複合装置の転写ユニットのヒータの温度を高温に保つ高温待機モード、前記ヒータの電源を完全にオフする低音待機モード、及び、前記高温待機モードの設定温度よりも低い予熱温度に前記ヒータの温度を保つ予熱待機モードのうち、少なくとも２つのモードを含むことを特徴とする請求項１または２に記載の複合装置の制御方法。
【請求項４】
省電力動作状態から通常電力動作状態への復帰時間が最も短い第１の動作モードが設定されている場合、前記複数の機器機能が切り替えられた後の省電力モードへの切換えを、あらかじめ設定された時間を経過した後に行うことを特徴とする請求項１または請求項２または請求項３記載の複合装置の制御方法。
【発明の詳細な説明】
【０００１】
【発明の属する技術分野】
本発明は、複数の機器機能を備えるとともに、省電力機能を備えた複合装置の制御方法に関する。
【０００２】
【従来の技術】
近年、電子写真式プリンタエンジンを備え、複写機機能、プリンタ機能およびファクシミリ機能を備えた複合装置が実用されている。また、この複合装置には、待機時の消費電力を削減するための省電力機能も備えられている。
【０００３】
【発明が解決しようとする課題】
ところで、省電力機能には、例えば、電子写真式プリンタエンジンの転写ユニットのヒータの温度を高温に保つ高温待機モード、ヒータの電源を完全にオフする低温待機モード、および、高温待機モードの設定温度よりも若干低い温度にヒータの温度を保つ予熱待機モードの３つのモードがあり、従来、複合装置について、省電力機能の動作モードは、高温待機モード、低温待機モード、および、予熱待機モードのいずれか１つが設定されていた。
【０００４】
このようにして、複合装置には、単一の省電力モードが設定されていたので、この複合装置が機能する装置モードによっては、通常の動作状態に復帰するまでに時間がかかりすぎ、ユーザが複合装置を利用できるまでに長い時間を要して、複合装置の使い勝手が悪くなるという問題を生じていた。
【０００５】
本発明は、かかる実情に鑑みてなされたものであり、使い勝手を良好にできる複合装置の制御方法を提供することを目的としている。
【０００６】
【課題を解決するための手段】
本発明は、複数の機器機能を備えるとともに、省電力機能を備えた複合装置の制御方法において、前記省電力機能に関して、待機温度の違いにより異なる複数の省電力モードのうちから、所定の省電力モードを設定することができるとともに、いずれかの機器機能の動作が終了すると、あらかじめ定められた特定の初期機器機能へ装置動作を復帰する一方、終了した機器機能に設定されている前記省電力機能の動作モードが、上記初期機器機能に設定されている動作モードと一致しないときには、上記初期機器機能に復帰しないようにしたものである。
【０００７】
また、前記複数の省電力モードの設定は、前記複数の機器機能のそれぞれについて、前記複数の省電力モードのうちから、所定の省電力モードを設定することができるようにしたものである。
【０００８】
また、前記複数の省電力モードは、前記複合装置の転写ユニットのヒータの温度を高温に保つ高温待機モード、前記ヒータの電源を完全にオフする低音待機モード、及び、前記高温待機モードの設定温度よりも低い予熱温度に前記ヒータの温度を保つ予熱待機モードのうち、少なくとも２つのモードを含むものである。
【０００９】
また、省電力動作状態から通常電力動作状態への復帰時間が最も短い第１の動作モードが設定されている場合、前記複数の機器機能が切り替えられた後の省電力モードへの切換えを、あらかじめ設定された時間を経過した後に行うようにしたものである。
【００１０】
また、いずれかの機器機能の動作が終了すると、あらかじめ定められた特定の初期機器機能へ装置動作を復帰する一方、終了した機器機能に設定されている前記省電力機能の動作モードが、上記初期機器機能に設定されている動作モードと一致しないときには、上記初期機器機能に復帰しないようにしたものである。
【００１１】
【発明の実施の形態】
以下、添付図面を参照しながら、本発明の実施の形態を詳細に説明する。
【００１２】
図１は、本発明の一実施例にかかる複合装置を示している。この複合装置は、電子写真式プリンタエンジンを備え、複写機機能、プリンタ機能およびファクシミリ機能を備えたものである。
【００１３】
同図において、システム制御部１は、この複合装置の各部の制御処理、ファクシミリ伝送制御手順処理、複写処理、および、プリンタ処理などを行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、この複合装置に固有な各種の情報を記憶するためのものであり、時計回路４は、現在時刻情報を出力するためのものである。
【００１４】
スキャナ５は、所定の解像度で原稿画像を読み取るためのものであり、プロッタ６は、電子写真式プリンタエンジンを備え、所定の解像度で画像を記録出力するためのものであり、操作表示部７は、このファクシミリ装置を操作するためのもので、各種の操作キー、および、各種の表示器からなる。
【００１５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１６】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１７】
網制御装置１１は、この複合装置を公衆電話回線網に接続するためのものであり、自動発着信機能を備えている。
【００１８】
外部インターフェース回路１２は、パーソナルコンピュータ装置（図示略）と接続し、パーソナルコンピュータ装置との間で印字データなどの種々のデータをやりとりするとともに、パーソナルコンピュータ装置に対してプリンタ機能を提供するためのものであり、電源ユニット１３は、プロッタ６の定着ユニット（図示略）のヒータ（図示略）に供給する電力を制御するとともに、この複合装置の各部へ電源を供給するためのものである。
【００１９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、外部インターフェース回路１２、および、電源ユニット１３は、内部バス１４に接続されており、これらの各要素間でのデータのやりとりは、主としてこの内部バス１４を介して行われている。
【００２０】
また、網制御装置１１とグループ３ファクシミリモデム１０との間のデータのやりとりは、直接行なわれている。
【００２１】
以上の構成で、この複合装置は、待機状態が一定時間経過すると、設定された省電力モードに移行するとともに、省電力モードを解除する何らかのイベント（例えば、ユーザ操作、着信検出、パーソナルコンピュータからの印刷要求受信など）が発生すると、省電力モードを解除して、動作状態へと移行する。
【００２２】
また、省電力モードは、プロッタ６の転写ユニットのヒータの温度を高温に保つ高温待機モード、ヒータの電源を完全にオフする低温待機モード、および、高温待機モードの設定温度よりも若干低い予熱温度にヒータの温度を保つ予熱待機モードの３つのモードがあり、複写機動作モード、ファクシミリ動作モード、および、プリンタ動作モードの各動作モードについて、あらかじめ予熱待機モードの種類が設定されている。
【００２３】
また、ヒータの温度を一定に制御するために、プロッタ６の内部には温度検出回路が内蔵されており、指定された予熱モードでヒータを駆動するように、プロッタ６が温度制御を実施する。
【００２４】
したがって、例えば、コピー動作モードに高温待機モードが設定され、ファクシミリ動作モードに低温待機モードが設定されている状態で、ユーザがコピー動作を選択した場合、複合装置は、それ以降、一連の動作が終了するまで、コピー動作モードの動作を実行する。
【００２５】
また、この場合、コピー動作モードに登録されている省電力モードが高温待機モードであるので、複合装置は、コピー動作モードが終了して一定時間待機状態が経過すると、高温待機モードの動作モードを内部に設定する。
【００２６】
それにより、ユーザのコピー動作が終了した後には、高温待機モードの省電力動作が実行されるので、再度ユーザが、この複合装置を用いて複写動作する場合、複合装置は迅速に動作可能な状態に復帰するので、非常に便利である。
【００２７】
また、ファクシミリ動作が指定されると、複合装置は、それ以降、一連の動作が終了するまで、ファクシミリ動作モードの動作を実行する。
【００２８】
また、この場合、ファクシミリ動作モードに登録されている省電力モードが低温待機モードであるので、複合装置は、ファクシミリ動作モードが終了して一定時間待機状態が経過すると、低温待機モードの動作モードを内部に設定する。
【００２９】
それにより、ファクシミリ動作が終了した後には、低温待機モードの省電力動作が実行されるので、ファクシミリ動作が継続する場合には、効率よく電力を削減することができ、省電力効果が大きくなる。
【００３０】
このようにして、本実施例では、各動作モードについて、より効果の高い省電力モードの種類を設定することができるので、複合装置の省電力動作の効果が高く、かつ、その操作性が良好になる。
【００３１】
図２は、複合装置が実行する省電力モードの動作の一例を示している。
【００３２】
まず、各動作モードにあらかじめ設定されている省電力モードを登録しておく（処理１０１）。この状態で、キー操作がされたことを監視しており（判断１０２のＮＯループ）、キー操作がされて、判断１０２の結果がＹＥＳになると、そのときに操作されたキー内容がコピーモードのものであるかどうかを調べ（判断１０３）、判断１０３の結果がＹＥＳになるときには、コピー動作モードに登録されている省電力モードの内容を読み出す（処理１０４）。
【００３３】
また、判断１０３の結果がＮＯになるときには、そのときに操作されたキー内容がプリンタモードのものであるかどうかを調べ（判断１０５）、判断１０５の結果がＹＥＳになるときには、プリンタ動作モードに登録されている省電力モードの内容を読み出す（処理１０６）。
【００３４】
また、そのときに操作されたキー内容がファクシミリモードの場合であり、判断１０３の結果がＮＯになるときには、ファクシミリ動作モードに登録されている省電力モードの内容を読み出す（処理１０７）。
【００３５】
次に、このようにした読み出した省電力モードの内容が高温待機モードであるかどうか調べ（判断１０８）、判断１０８の結果がＹＥＳになるときには、ヒータを高温状態で待機させる（処理１０９）。
【００３６】
また、判断１０８の結果がＮＯになるときには、読み出した省電力モードの内容が低温待機モードであるかどうか調べ（判断１１０）、判断１１０の結果がＹＥＳになるときには、ヒータへの電力を遮断し、ヒータを低温状態で待機させる（処理１１１）。
【００３７】
また、判断１１０の結果がＮＯになるときには、読み出した省電力モードの内容が予熱待機モードであるので、ヒータを予熱状態で待機させる（処理１１２）。
【００３８】
そして、このようにして、省電力モードの設定が終了すると、処理１０１へ戻り、上述した処理を繰り返し実行する。
【００３９】
ところで、上述した実施例では、各動作モードについて、省電力モードの種類を設定できるようにしているが、さらに、高温待機モードから他の待機モードへの以降時間を登録すると、省電力モードの使い勝手をより向上することができる。
【００４０】
例えば、コピー動作モードについて、省電力モードに高温待機モード、移行時間に２４０分がそれぞれ設定され、また、プリンタ動作モードについて、省電力モードに高温待機モード、移行時間に３０分がそれぞれ設定されている場合は、次のような動作となる。
【００４１】
すなわち、ユーザがコピー動作を選択した場合、複合装置は、それ以降、一連の動作が終了するまで、コピー動作モードの動作を実行する。そして、コピー動作モードに登録されている省電力モードが高温待機モードであるので、複合装置は、コピー動作モードが終了して一定時間待機状態が経過すると、高温待機モードの動作モードを内部に設定するとともに、経過時間の計時を開始する。
【００４２】
複合装置は、この計時時間が、コピー動作に設定されている２４０分を経過すると、その時点で、予熱待機モードへと移行する。
【００４３】
したがって、ユーザのコピー動作が終了した後には、高温待機モードの省電力動作が実行され、２４０分を経過した後に予熱モードへと移行されるので、ユーザが、２４０分よりも短い間隔で再度この複合装置を用いて複写動作する場合、複合装置は迅速に動作可能な状態に復帰するので、非常に便利である。
【００４４】
それとともに、ユーザの操作が２４０分を超えてされない場合、複合装置は予熱待機モードへと移行するので、省電力効果が大きくなり、便利である。
【００４５】
図３および図４は、この場合に、複合装置が実行する省電力モードの動作の他の例を示している。
【００４６】
まず、各動作モードにあらかじめ設定されている省電力モードおよび移行時間を登録しておく（処理２０１）。この状態で、キー操作がされたことを監視しており（判断２０２）、キー操作がされて、判断２０２の結果がＹＥＳになると、そのときに操作されたキー内容がコピーモードのものであるかどうかを調べ（判断２０３）、判断２０３の結果がＹＥＳになるときには、コピー動作モードに登録されている省電力モードの内容を読み出す（処理２０４）。
【００４７】
また、判断２０３の結果がＮＯになるときには、そのときに操作されたキー内容がプリンタモードのものであるかどうかを調べ（判断２０５）、判断２０５の結果がＹＥＳになるときには、プリンタ動作モードに登録されている省電力モードの内容を読み出す（処理２０６）。
【００４８】
また、そのときに操作されたキー内容がファクシミリモードの場合であり、判断２０３の結果がＮＯになるときには、ファクシミリ動作モードに登録されている省電力モードの内容を読み出す（処理２０７）。
【００４９】
次に、このようにした読み出した省電力モードの内容で、ヒータ制御を開始する（処理２０８）。次いで、読み出した省電力モードの内容が高温待機モードであるかどうか調べ（判断２０９）、判断２０９の結果がＹＥＳになるときには、ヒータを高温状態で待機させる（処理２１０）、現在時刻を読み出して省電力モードの移行時刻として記憶する（処理２１１）。
【００５０】
また、判断２０９の結果がＮＯになるときには、読み出した省電力モードの内容が低温待機モードであるかどうか調べ（判断２１２）、判断２１２の結果がＹＥＳになるときには、ヒータへの電力を遮断し、ヒータを低温状態で待機させる（処理２１３）。
【００５１】
また、判断２１２の結果がＮＯになるときには、読み出した省電力モードの内容が予熱待機モードであるので、ヒータを予熱状態で待機させる（処理２１４）。
【００５２】
そして、このようにして、省電力モードの設定が終了すると、処理２０１へ戻り、上述した処理を繰り返し実行する。
【００５３】
また、キー操作がされていない状態で、判断２０２の結果がＹＥＳになると、そのときの省電力モードが高温待機モードであるかを調べ（判断２１５）、判断２１５の結果がＹＥＳになるときには、省電力モードへの移行時刻が保存されているかどうかを調べ（判断２１６）、判断２１６の結果がＹＥＳになるときには、その保存されている移行時刻を読み出し（処理２１７）、時計回路４から得た現在時刻と、読み出した移行時刻から経過時間を算出する（処理２１８）。
【００５４】
次いで、そのときの動作モードについて記憶されている移行時間よりも、処理２１８で算出した経過時間が長くなっており、予熱待機モードへの移行条件が成立しているかどうかを調べる（判断２１９）。判断２１９の結果がＹＥＳになるときには、省電力モードを予熱待機モードへ移行して（処理２２０）、処理２０１へ戻る。
【００５５】
また、判断２１５の結果がＮＯになるとき、判断２１６の結果がＮＯになるとき、または、判断２１９の結果がＮＯになるときには、そのときの省電力モードを維持した状態で、その時点で処理２０１へと戻る。
【００５６】
さて、上述した実施例では、高温待機モードから予熱待機モードへの移行時間を登録しているが、移行時間経過後の移行先省電力モードの内容も登録するようにすると、さらに使い勝手が良好となる。
【００５７】
例えば、コピー動作モードについて、省電力モードに高温待機モード、移行時間に２４０分、移行先の省電力モードに予熱待機モードがそれぞれ設定され、また、プリンタ動作モードについて、省電力モードに高温待機モード、移行時間に３０分、移行先の省電力モードに低温待機モードがそれぞれ設定されている場合は、次のような動作となる。
【００５８】
すなわち、ユーザがコピー動作を選択した場合、複合装置は、それ以降、一連の動作が終了するまで、コピー動作モードの動作を実行する。そして、コピー動作モードに登録されている省電力モードが高温待機モードであるので、複合装置は、コピー動作モードが終了して一定時間待機状態が経過すると、高温待機モードの動作モードを内部に設定するとともに、経過時間の計時を開始する。
【００５９】
複合装置は、この計時時間が、コピー動作に設定されている２４０分を経過すると、その時点で、予熱待機モードへと移行する。
【００６０】
したがって、ユーザのコピー動作が終了した後には、高温待機モードの省電力動作が実行され、２４０分を経過した後に予熱モードへと移行されるので、ユーザが、２４０分よりも短い間隔で再度この複合装置を用いて複写動作する場合、複合装置は迅速に動作可能な状態に復帰するので、非常に便利である。
【００６１】
それとともに、ユーザの操作が２４０分を超えてされない場合、複合装置は予熱待機モードへと移行するので、省電力効果が大きくなり、便利である。
【００６２】
図５および図６は、この場合に、複合装置が実行する省電力モードの動作の他の例を示している。
【００６３】
まず、各動作モードにあらかじめ設定されている省電力モード、移行時間、および、移行後の省電力モードを登録しておく（処理３０１）。この状態で、キー操作がされたことを監視しており（判断３０２）、キー操作がされて、判断３０２の結果がＹＥＳになると、そのときに操作されたキー内容がコピーモードのものであるかどうかを調べ（判断３０３）、判断３０３の結果がＹＥＳになるときには、コピー動作モードに登録されている省電力モードの内容を読み出す（処理３０４）。
【００６４】
また、判断３０３の結果がＮＯになるときには、そのときに操作されたキー内容がプリンタモードのものであるかどうかを調べ（判断３０５）、判断３０５の結果がＹＥＳになるときには、プリンタ動作モードに登録されている省電力モードの内容を読み出す（処理３０６）。
【００６５】
また、そのときに操作されたキー内容がファクシミリモードの場合であり、判断３０３の結果がＮＯになるときには、ファクシミリ動作モードに登録されている省電力モードの内容を読み出す（処理３０７）。
【００６６】
次に、このようにした読み出した省電力モードの内容で、ヒータ制御を開始する（処理３０８）。次いで、読み出した省電力モードの内容が高温待機モードであるかどうか調べ（判断３０９）、判断３０９の結果がＹＥＳになるときには、ヒータを高温状態で待機させる（処理３１０）、現在時刻を読み出して省電力モードの移行時刻として記憶する（処理３１１）。
【００６７】
また、判断３０９の結果がＮＯになるときには、読み出した省電力モードの内容が低温待機モードであるかどうか調べ（判断３１２）、判断３１２の結果がＹＥＳになるときには、ヒータへの電力を遮断し、ヒータを低温状態で待機させる（処理３１３）。
【００６８】
また、判断３１２の結果がＮＯになるときには、読み出した省電力モードの内容が予熱待機モードであるので、ヒータを予熱状態で待機させる（処理３１４）。
【００６９】
そして、このようにして、省電力モードの設定が終了すると、処理３０１へ戻り、上述した処理を繰り返し実行する。
【００７０】
また、キー操作がされていない状態で、判断３０２の結果がＮＯになるときには、そのときの省電力モードが高温待機モードであるかを調べ（判断３１５）、判断３１５の結果がＹＥＳになるときには、省電力モードへの移行時刻が保存されているかどうかを調べ（判断３１６）、判断３１６の結果がＹＥＳになるときには、その保存されている移行時刻を読み出し（処理３１７）、時計回路４から得た現在時刻と、読み出した移行時刻に基づいて経過時間を算出する（処理３１８）。
【００７１】
次いで、そのときの動作モードについて記憶されている移行時間よりも、処理３１８で算出した経過時間が長くなっており、次の省電力モードへの移行条件が成立しているかどうかを調べる（判断３１９）。
【００７２】
判断３１９の結果がＹＥＳになるときには、そのときの動作モードについて記憶されている移行先モードを読み出し（処理３２０）、その移行先モードが低温待機モードの場合には（判断３２１の結果がＹＥＳ）、ヒータへの電力を遮断し、ヒータを低温状態で待機させ（処理３２２）、その移行先モードが予熱モードの場合には（判断３２１の結果がＮＯ）、ヒータを予熱状態で待機させる（処理３２３）。このようにして、省電力モードの移行を終了すると、処理３０１へ戻る。
【００７３】
また、判断３１５の結果がＮＯになるとき、判断３１６の結果がＮＯになるとき、または、判断３１９の結果がＮＯになるときには、そのときの省電力モードを維持した状態で、その時点で処理３０１へと戻る。
【００７４】
ところで、複合装置には、１つのユーザ操作に応じた動作を終了すると、特定の動作モード（例えば、コピー動作モード）へ、動作モードを復帰する設定がされる場合がある。この復帰先の動作モードは、ホームポジション（初期機器機能）と呼ばれる。
【００７５】
このようなホームポジションが設定されている場合、ある動作モードが終了した時点で、ホームポジションへと復帰したとき、ホームポジションに設定されている省電力モードと、実行終了した動作モードの省電力モードが異なる場合、ホームポジションへの移行を行わずに、実行終了した動作モードを維持するようにすると、より省電力機能の使い勝手が向上する。
【００７６】
図７および図８は、この場合に、複合装置が実行する省電力モードの動作の一例を示している。
【００７７】
まず、各動作モードにあらかじめ設定されている省電力モード、および、ホームポジションの動作モードを登録しておく（処理４０１）。この状態で、キー操作がされたことを監視しており（判断４０２のＮＯループ）、キー操作がされて、判断４０２の結果がＹＥＳになると、そのときに操作されたキーがスタートキーであるかどうかを調べる（判断４０３）。
【００７８】
判断４０３の結果がＹＥＳになるときには、そのときに操作された動作モードがコピーモードであるかどうかを調べ（判断４０４）、判断４０４の結果がＹＥＳになるときには、コピー動作モードに登録されている省電力モードの内容を読み出す（処理４０５）。
【００７９】
また、判断４０４の結果がＮＯになるときには、そのときに操作された動作モードがプリンタモードのものであるかどうかを調べ（判断４０６）、判断４０６の結果がＹＥＳになるときには、プリンタ動作モードに登録されている省電力モードの内容を読み出す（処理４０７）。
【００８０】
また、そのときに操作されたキー内容がファクシミリモードの場合であり、判断４０４の結果がＮＯになるときには、ファクシミリ動作モードに登録されている省電力モードの内容を読み出す（処理４０８）。
【００８１】
次に、このようにした読み出した省電力モードの内容が高温待機モードであるかどうか調べ（判断４０９）、判断４０９の結果がＹＥＳになるときには、ヒータを高温状態で待機させる（処理４１０）。
【００８２】
また、判断４０９の結果がＮＯになるときには、読み出した省電力モードの内容が低温待機モードであるかどうか調べ（判断４１１）、判断４１１の結果がＹＥＳになるときには、ヒータへの電力を遮断し、ヒータを低温状態で待機させる（処理４１２）。
【００８３】
また、判断４１１の結果がＮＯになるときには、読み出した省電力モードの内容が予熱待機モードであるので、ヒータを予熱状態で待機させる（処理４１３）。
【００８４】
そして、このようにして、省電力モードの設定が終了すると、処理４０１へ戻り、上述した処理を繰り返し実行する。
【００８５】
また、操作されたキーがスタートキーであり、判断４０３の結果がＹＥＳになるときには、そのときに要求された動作モードの動作を、その動作が終了するまで実行する（処理４１４、判断４１５のＮＯループ）。
【００８６】
要求動作が終了すると、そのときに実行した動作がホームポジションと同一であるかどうかを調べ（判断４１６）、判断４１６の結果がＮＯになるときには、そのときに実行した動作に登録されている省電力モードの内容が、ホームポジションに登録されている動作に登録されている省電力モードの内容と同一であるかどうかを調べ（判断４１７）、判断４１７の結果がＮＯになるときには、現在実行中の動作モードの開始が指令された旨をあらわすイベントを発生し（処理４１８）、その動作モードを実行するために、判断４０４へと移行する。
【００８７】
また、判断４１６の結果がＹＥＳになるとき、または、判断４１７の結果がＹＥＳになるときには、ホームポジションに登録された動作モードの開始が指令された旨をあらわすイベントを発生し（処理４１９）、その動作モードを実行するために、判断４０４へと移行する。
【００８８】
ところで、上述した実施例では、実行終了した動作モードと、ホームポジションの省電力モードが一致しない場合、ホームポジションへの移行を禁止しているが、ホームポジションへの移行を行うようにすることもできる。ただし、その場合、実行終了した動作モードの省電力モードを一定時間持続した後に、ホームポジションへと移行するようにするとよい。
【００８９】
図９、図１０、および、図１１は、この場合に、複合装置が実行する省電力モードの動作の一例を示している。
【００９０】
まず、各動作モードにあらかじめ設定されている省電力モード、移行時間、移行先モード、および、ホームポジションの動作モードを登録しておく（処理５０１）。この状態で、キー操作がされたことを監視しており（判断５０２のＮＯループ）、キー操作がされて、判断５０２の結果がＹＥＳになると、そのときに操作されたキーがスタートキーであるかどうかを調べる（判断５０３）。
【００９１】
判断５０３の結果がＹＥＳになるときには、そのときに操作された動作モードがコピーモードであるかどうかを調べ（判断５０４）、判断５０４の結果がＹＥＳになるときには、コピー動作モードに登録されている省電力モードの内容を読み出す（処理５０５）。
【００９２】
また、判断５０４の結果がＮＯになるときには、そのときに操作された動作モードがプリンタモードのものであるかどうかを調べ（判断５０６）、判断５０６の結果がＹＥＳになるときには、プリンタ動作モードに登録されている省電力モードの内容を読み出す（処理５０７）。
【００９３】
また、そのときに操作されたキー内容がファクシミリモードの場合であり、判断５０４の結果がＮＯになるときには、ファクシミリ動作モードに登録されている省電力モードの内容を読み出す（処理５０８）。
【００９４】
次に、このようにした読み出した省電力モードの内容で、ヒータ制御を開始する（処理５０９）。次いで、読み出した省電力モードの内容が高温待機モードであるかどうか調べ（判断５１０）、判断５１０の結果がＹＥＳになるときには、ヒータを高温状態で待機させる（処理５１１）。
【００９５】
また、判断５１０の結果がＮＯになるときには、読み出した省電力モードの内容が低温待機モードであるかどうか調べ（判断５１２）、判断５１２の結果がＹＥＳになるときには、ヒータへの電力を遮断し、ヒータを低温状態で待機させる（処理５１３）。
【００９６】
また、判断５１２の結果がＮＯになるときには、読み出した省電力モードの内容が予熱待機モードであるので、ヒータを予熱状態で待機させる（処理５１４）。
【００９７】
そして、このようにして、省電力モードの設定が終了すると、処理５０１へ戻り、上述した処理を繰り返し実行する。
【００９８】
また、操作されたキーがスタートキーであり、判断５０３の結果がＹＥＳになるときには、そのときに要求された動作モードの動作を、その動作が終了するまで実行する（処理５１５、判断５１６のＮＯループ）。
【００９９】
要求動作が終了すると、そのときに実行した動作がホームポジションと同一であるかどうかを調べ（判断５１７）、判断５１７の結果がＮＯになるときには、そのときに実行した動作に登録されている省電力モードの内容が、ホームポジションに登録されている動作に登録されている省電力モードの内容と同一であるかどうかを調べ（判断５１８）、判断５１８の結果がＮＯになるときには、時計回路４より現在時刻を読み出して保存し（処理５２０）、ホームポジションに登録された動作モードの開始が指令された旨をあらわすイベントを発生し（処理５２１）、その動作モードを実行するために、判断５０４へと移行する。
【０１００】
また、判断５１７の結果がＹＥＳになるとき、または、判断５１８の結果がＹＥＳになるとき、または、判断５１９の結果がＮＯになるときには、処理５２１へ移行し、ホームポジションに登録された動作モードの開始が指令された旨をあらわすイベントを発生し、その動作モードを実行するために、判断５０４へと移行する。
【０１０１】
また、キー操作がされていない状態であり、判断５０２の結果がＮＯになるときには、そのときの省電力モードが高温待機モードであるかを調べ（判断５２３）、判断５２３の結果がＹＥＳになるときには、省電力モードへの移行時刻が保存されているかどうかを調べ（判断５２４）、判断５２４の結果がＹＥＳになるときには、その保存されている移行時刻を読み出し（処理５２５）、時計回路４から得た現在時刻と、読み出した移行時刻から経過時間を算出する（処理５２６）。
【０１０２】
次いで、そのときの動作モードについて記憶されている移行時間よりも、処理５２６で算出した経過時間が長くなっており、次の省電力モードへの移行条件が成立しているかどうかを調べる（判断５２７）。
【０１０３】
判断５２７の結果がＹＥＳになるときには、そのときの動作モードについて記憶されている移行先モードを読み出し（処理５２８）、その移行先モードが低温待機モードの場合には（判断５２９の結果がＹＥＳ）、ヒータへの電力を遮断し、ヒータを低温状態で待機させ（処理５３０）、その移行先モードが予熱モードの場合には（判断５２９の結果がＮＯ）、ヒータを予熱状態で待機させる（処理５３１）。このようにして、省電力モードの移行を終了すると、処理３０１へ戻る。
【０１０４】
また、判断５２３の結果がＮＯになるとき、判断５２４の結果がＮＯになるとき、または、判断５２７の結果がＮＯになるときには、そのときの省電力モードを維持した状態で、その時点で処理５０１へと戻る。
【０１０５】
なお、上述した実施例では、複合装置として、複写装置、プリンタ装置、および、ファクシミリ装置を備えているものについて説明したが、それ以外の複合装置についても、本発明を同様にして適用することができる。
【０１０６】
また、上述した実施例では、プロッタのヒータの温度制御により、省電力動作を実現しているが、それ以外の要素の電力制御により、省電力動作を行うことができる。例えば、表示系などの電力制御により、省電力動作を行うことができる。
【０１０７】
【発明の効果】
以上説明したように、本発明によれば、各動作モードについて、より効果の高い省電力モードの種類を設定することができるので、複合装置の省電力動作の効果が高く、かつ、その操作性が良好になるという効果を得る。
【０１０８】
また、ユーザのコピー動作が終了した後には、高温待機モードの省電力動作が実行され、所定設定時間を経過した後に予熱モードへと移行されるので、ユーザが、その設定時間よりも短い間隔で再度この複合装置を用いて複写動作する場合、複合装置は迅速に動作可能な状態に復帰するので、非常に便利であるという効果を得る。
【０１０９】
また、ホームポジションが設定されている場合、ある動作モードが終了した時点で、ホームポジションへと復帰したとき、ホームポジションに設定されている省電力モードと、実行終了した動作モードの省電力モードが異なる場合、ホームポジションへの移行を行わずに、実行終了した動作モードを維持するようにすると、より省電力機能の使い勝手が向上するという効果を得る。
【０１１０】
また、実行終了した動作モードと、ホームポジションの省電力モードが一致しない場合、実行終了した動作モードの省電力モードを一定時間持続した後に、ホームポジションへと移行しているので、より省電力機能の使い勝手が向上するという効果を得る。
【図面の簡単な説明】
【図１】本発明の一実施例にかかる複合装置を示したブロック図。
【図２】複合装置が実行する省電力モードの動作の一例を示したフローチャート。
【図３】複合装置が実行する省電力モードの動作の他の例の一部を示したフローチャート。
【図４】複合装置が実行する省電力モードの動作の他の例の他の部分を示したフローチャート。
【図５】複合装置が実行する省電力モードの動作のさらに他の例の一部を示したフローチャート。
【図６】複合装置が実行する省電力モードの動作のさらに他の例の他の部分を示したフローチャート。
【図７】複合装置が実行する省電力モードの動作のまたさらに他の例の一部を示したフローチャート。
【図８】複合装置が実行する省電力モードの動作のまたさらに他の例の他の部分を示したフローチャート。
【図９】複合装置が実行する省電力モードの動作の別な例の一部を示したフローチャート。
【図１０】複合装置が実行する省電力モードの動作の別な例の他の部分を示したフローチャート。
【図１１】複合装置が実行する省電力モードの動作の別な例の残りの部分を示したフローチャート。
【符号の説明】
１  システム制御部
【図１】
0003675653.tif 000002
【図２】
0003675653.tif 000003
【図３】
0003675653.tif 000004
【図４】
0003675653.tif 000005
【図５】
0003675653.tif 000006
【図６】
0003675653.tif 000007
【図７】
0003675653.tif 000008
【図８】
0003675653.tif 000009
【図９】
0003675653.tif 000010
【図１０】
0003675653.tif 000011
【図１１】
0003675653.tif 000012